(57)【特許請求の範囲】
【請求項１】
ゴルフティーと、
地面に埋め込まれる側の前記ゴルフティーの先端で前記ゴルフティーにネジで取り外し可能に結合される接続具と、
前記ゴルフティーを収容可能であって、巻戻し器を内部に有するハウジングと、
一端が前記接続具に接続され、他端が前記巻戻し器に接続された紐と、
を備え、
前記巻戻し器は、前記紐の巻戻しが可能で、
前記巻戻し器によって前記紐が巻き戻された場合に、前記ゴルフティーは、前記先端から前記ハウジングに収容される、
ゴルフティー巻戻し器具。
【請求項２】
前記ゴルフティーと、前記接続具と、前記巻戻し器と、前記紐との組み合わせを複数有し、
各巻戻し器によって各紐が巻き戻された場合に、前記ゴルフティーが、前記先端から前記ハウジングにそれぞれ収容される、
請求項１に記載のゴルフティー巻戻し器具。
【発明の詳細な説明】
【技術分野】
【０００１】
本発明はゴルフ器具に関連する。特に、ティー巻戻し器具に関連する。
【背景技術】
【０００２】
トマス・マーフィーのアイルランド国特許番号S58907のゴルフ・イーティー(Golf Etee)
が同様の原理で動く。この発明以来、巻戻し器具は精巧になった。巻戻し器具は、巻返し過程を制御し、安定巻戻し手順を可能にする吸収材を有する。このゴルフティー巻戻し器具はそのような線引込みユニットを組込んでいる。
【０００３】
今日までティーは未だバラ売りされ、すぐ紛失する。本発明の主要な働きはゴルファーのティーの紛失を防ぐことである。本発明ではティーは、基本的なアンカー巻戻し器具に接続しており、よそに飛ばない。同じティーを繰返し使用するか、またはゴルファーの都合良い寸法のティーに取替えることもできる。
【０００４】
今のところバラのティーは木かプラスチック製なので、安価である。木は生分解するが、プラスチックは分解に長時間かかる。両材料とも容易に壊れるので、ティーは短命の傾向にある。バラのティーはまた、紛失し易い。
【０００５】
この器具用のティーは、たとえば金、銀、プラチナその他金属などの耐久材料でも作れ、刻字かつ/または装飾してもよい。そのような硬材はクラブ面からは、適切な保護条片で衝撃から緩衝される。ティーはまた、たとえば黒檀、骨、プラスチック、木などの安価な材料でも作れる。ティーは今では個人用のもの、大切にするものになってきた。所望時にはティーは巻返し線に容易に戻せるし、または必要ならたとえばネジを被せられる。堅巻きコイルで、ティーはハウジング内の引っ込んだ位置に保持される。ティー使用中は妥当な設定/ケーブル長さまで、ケーブルは巻きほぐされる。使用後ティーケーブルは、ソフトに巻返しされてホルダー内に納まる。
【発明の概要】
【０００６】
従って、巻戻しユニットにはボックスに納められた巻返し器がある。それによってソフトな制御された安全な動きで、ケーブルを保護リールに巻込む。設計安全の要素を鑑み、巻戻し器ハウジングボックスの形状、色、材料は多様でよい。ケーブルの種類、長さ、仕上げも多様でよい。種々の設計に適するよう、ハウジングボックスのどの位置からケーブルが出てもよい。それぞれにリンクと巻返し器のある、寸法を異にする2本のティーを納めるようユニットを設計してもよい。ピッチマーク直し器、ボールマーカー、溝クリーナーかつ/またはスコア記録器などの他部分もユニットに備えてもよい。
【０００７】
巻返し器具とそのティーは、収集や記念の対象、ゴルフ賞品、企業広告のツボ、または単に良い贈物となりうる。
【０００８】
本発明のティーは、高品質かつより多彩な形状にして広告を助ける。
【０００９】
巻戻し器とティーの一方または両方の作製材料は、高価でも安価でもよい。多様な形状、色、材料で作られる。
【図面の簡単な説明】
【００１０】
【図１】ゴルフティー巻戻し器。巻返し部1は、シール8により柔軟リンク接続3でティー2に取付けられている。ボール位置マーカー9は、磁力または他の方法で制御部に取付けられている。
【図２】図2a、図2b、図2cはピッチマーク直し部付きのゴルフティー巻戻し器を示す。図2aは接続具8により柔軟リンク接続3でティー2に取付けられているティー巻戻し部1を含むティー巻戻し器を示す。ボール位置マーカーを、ユニットのどちらの端にでも磁力または他の方法で取付けできる。この設計では巻返しケースは、ピッチマーク直し器4を支持している。ピッチマーク直し器は図2cのように堅固な構造でも、図2bのようにヒンジ6の助けで保管のため折畳めるようにしてもよい。
【図３】図3aはハウジング7内に納まったゴルフティー巻返し部1を示す。ゴルフティー2とその接続リンクも一体になっている。図3a、図3b、図3d、図3eは支持ハウジング7内にゴルフティーが引っ込んでおり、ボール位置マーカー9が磁力または他の方法で、ハウジングの片側または両側に取付けられているのを示す。図3cは開ける接続口8のある取替え可能ティー2が、支持ハウジング7から巻き出された状態を示す。図3dは巻き返されたティー 2のある巻き保管状態のハウジング7で、保管状態での位置マーカー9とピッチマーク直し器4を示す。図3eは開いたピッチマーク直し部4を示す。ピッチ直しの穴5は、親指の穴である。この穴はピッチマークの開きを容易にするためにあってもよいが、必須部分ではない。
【図４】図4aは図3aと同じ部分を示すが、この場合ハウジングには、巻返し部が2個ある。取替え可能ティーが開ける接続口8で、各々の巻返し部に取付けられている。ティーは取外しできる。ティーの長さは、みな同じでもいいし、たとえばドライバーティーとアイアンティーの使用に適したいろいろな長さであってもよい。図4a、図4b、図4d、図4eはハウジング7に巻き納められたティーを示す。ボール位置マーカー9 は磁力または他の方法で、ハウジングの片側または両側に取付けできる。図4c はゴルフ巻戻し器具で、ティー2は両方ともハウジング7から巻き出されている。接続部8 でティーを容易に取替えられる。図4dと図4e はゴルフ巻戻し器具で、ティー2はハウジングに巻き納められている。図4dではピッチマーク直し器4は保管位置に折畳まれている。図4eではピッチマーク直し器は、ピッチマーク直しを行うため開かれている。
【図５】図5aは衝撃吸収部10のある取替え可能ティー11と、接続具8のネジと、制御ボタン/ボールマーカー12の代替位置を示す。図5bは制御ボタン1のある単一巻戻し器具7を示す。ボール位置マーカー9は制御ボタン1に磁気的に取付けられている。
【図６】図6 は衝撃吸収部10のある取替え可能ティー11と、接続具部8と、柔軟リンク3を示す。
【発明を実施するための形態】
【００１１】
巻返し部1に接続した柔軟リンク3に堅固に取付けられたゴルフティー2を、本発明は提供する。ティーは以下のいずれでもよい。
ａ）基本的アンカー(図1)に巻返し、ユニットの外にある。このアンカーフレームには企業ロゴ入りでも否でも１個か２個のボールマーカー9があってよい。
ｂ）１個か２個のボールマーカーと、ケガをせぬように開いた位置にロックされた出入り自在のピッチ直し用具 （図2a、図2b、図2c）とをはめ込んだアンカーに巻返す。ティーは未だユニットの外にある。
ｃ）アンカーハウジング（図3bと図3c）に巻返す。アンカーハウジングには1個の巻返し部と１個の接続ティー（図3ｂと図3c）があってもよいし、または関連ティーと接続口を持つ２個の巻返し部があってもよい（図4c）。ティーはみな同じ長さでもよいし、アイアンティーやドライバーティーなど異なった長さでもよい。全体ハウジング7は、ボールマーカー9、ピッチ直し器4、溝クリーナー、またはスコア記録器などの他ゴルフ品の装具を容易にする。
【００１２】
完全ハウジング7は特別な機能のある新規ティーを組込んでいる。ティーには接続具8（図6と図5a）を備え、取外しと付替えを容易にする。側面と縁とに衝撃緩衝部10（図6）をつけティーは製造される。ゴルファーの個人嗜好に合うよう多様な寸法と形状にティーを製造できる。
【００１３】
地面に置いてもよいし、またはピッチマーク直し器を使って地面に入れてもよいが、アンカーは制御巻戻し器具1を含む。選択ティーを使うには、ゴルファーはティーを取出し、リンクケーブルをほどいてから地面にセットする。そしてのびのびショットをするため、アンカーから安全な距離をとる。ショット終了時ゴルファーはソフト制御タッチボタンかレバーを押して、自分のティーをホルダー内にそつなく巻戻し込む。より基本的な巻返しシステムなら、人がコードを少し引き寄せれば、ティーはホルダー内に巻戻される。
【００１４】
ゴルフティー11。金、銀、プラチナ、木、骨、プラスチック、ココナツ殻などの多様な材料で作られる。必要に応じ、衝撃保護緩衝/条片を一体化してある。
【００１５】
リンクまたは柔軟接続。材料はワイヤー、ナイロン、カーボンスレッド、またはいかなる強い適当な軽量材でもよい。磨耗の場合の取外しが容易なように、現実ティーとアンカーとの両方で開ける継ぎ目接続口があってもよい。またはティー内部に直接シールするか種々の箇所でティーにつなげてもよい。
【００１６】
アンカーケース7。安価なものから高価なものまで多様な材料で、企業ロゴを入れてもよい。ズボンのポケットに納まりやすいよう、また誤使用からケガをせぬよう、形状、仕上げ、肌理は滑らかにする。
【００１７】
巻戻し器具1。形状、寸法、色は多様とする。巻戻し可能なスレッドの長さと厚みと、所望のハウジングの寸法との関数で寸法は多様とする。あらゆる場合、巻戻し手順の速度制御とユーザーの安全とのため、巻戻し器具には吸収材を組込む。安全のためティーの巻き入れ、巻き出しを制御できるよう、制御可能なプル/ストップモーションも備える。
【図１】
0005840673.tif 000002
【図２ａ】
0005840673.tif 000003
【図２ｂ】
0005840673.tif 000004
【図２ｃ】
0005840673.tif 000005
【図３ａ】
0005840673.tif 000006
【図３ｂ】
0005840673.tif 000007
【図３ｃ】
0005840673.tif 000008
【図３ｄ】
0005840673.tif 000009
【図３ｅ】
0005840673.tif 000010
【図４ａ】
0005840673.tif 000011
【図４ｂ】
0005840673.tif 000012
【図４ｃ】
0005840673.tif 000013
【図４ｄ】
0005840673.tif 000014
【図４ｅ】
0005840673.tif 000015
【図５ａ】
0005840673.tif 000016
【図５ｂ】
0005840673.tif 000017
【図６】
0005840673.tif 000018